(57)【要約】【課題】非水電解質の注入後において電池蓋に付着した非水電解質が流れ広がるのを防止することができる非水電解質型二次電池を提供する。【解決手段】発電要素２を収容した外装容器１を電池蓋３で密閉して成る非水電解質二次電池であって、上記電池蓋３に、非水電解質注入用の注入孔６が形成してあると共に、上記注入孔６の周囲に、環状に連続する溝部８を設けた。この溝部８により、注入孔６の周囲に付着した非水電解質が流れ広がるのを阻止し、非水電解質の流出により生じる不具合を未然に防止すると共に、付着した非水電解質の洗浄除去を簡単に行い得るものとした。【選択図】　　図１
2004095268.tif 000002
【特許請求の範囲】
【請求項１】
発電要素を収容した外装容器を電池蓋で密閉して成る非水電解質二次電池であって、
上記電池蓋に、非水電解質注入用の注入孔が形成してあると共に、
上記注入孔の周囲に、環状に連続する溝部を設けたことを特徴とする非水電解質二次電池。
【請求項２】
発電要素を収容した外装容器を電池蓋で密閉して成る非水電解質二次電池であって、
上記電池蓋に、非水電解質注入用の注入孔が形成してあると共に、
上記注入孔の周囲に、環状に連続する突条部を設けたことを特徴とする非水電解質二次電池。
【請求項３】
発電要素を収容した外装容器を電池蓋で密閉して成る非水電解質二次電池であって、
上記電池蓋に凹部を形成すると共に、凹部の底面に非水電解質注入用の注入孔を形成したことを特徴とする非水電解質二次電池。
【請求項４】
発電要素を収容した外装容器を電池蓋で密閉して成る非水電解質二次電池であって、
上記電池蓋に、非水電解質注入用の注入孔が形成してあると共に、
上記注入孔の周囲に、非水電解質の流出を阻止する凹凸を設けたことを特徴とする非水電解質二次電池。
【請求項５】
上記電池蓋又は外装容器に、所定値以上の内圧で開裂する開裂部を備え、開裂部が、その周囲における電池蓋又は外装容器の最外面よりも低い位置に設けてあることを特徴とする請求項４に記載の非水電解質二次電池。
【請求項６】
上記開裂部と電池蓋又は外装容器の最外面との段差寸法が０．１５ｍｍ以上であることを特徴とする請求項５に記載の非水電解質二次電池。
【請求項７】
上記発電要素が、リチウムイオンをドープ・脱ドープ可能な活物質層を有する正極及び負極と、非水電解質とを備えていることを特徴とする請求項１に記載の非水電解質二次電池。
【請求項８】
帯状の集電体に活物質層を設けた正極及び負極と、両極間に介装する帯状のセパレータとを巻回して成る巻回電極体を備えたことを特徴とする請求項７に記載の非水電解質二次電池。
【発明の詳細な説明】
【０００１】
【発明の属する技術分野】
本発明は、非水電解質二次電池に関し、より詳しくは、電池蓋の電解質注入孔に対してその周囲に溝等の凹凸を設けることにより、注入後に外部に付着した電解質の流出を阻止するようにした非水電解質二次電池に関するものである。
【０００２】
【従来の技術】
図１０は従来の非水電解質二次電池を説明する図である。図示の非水電解質二次電池は、外装容器１０１に発電要素１０２を収容して、外装容器１０１を電池蓋１０３で密閉した構造になっている。電池蓋１０３は、金属製の平坦な板材であり、中央には、ガスケット１０４を介して、発電要素１０２の正極（又は負極）に接続した正極端子（又は負極端子）１０５が設けてある。また、電池蓋１０３には、非水電解質を注入するための注入孔１０６と、所定値以上の内圧で開裂する開裂部１０７が設けてある。この開裂部１０７は、内圧解放を行う安全弁として機能する。
【０００３】
上記非水電解質二次電池は、その製造過程において、所定の組立てが終了した後に非水電解質の注入が行われる。電解質注入工程では、先端にＯリング１０８を装着した注入用ノズル１０９を使用し、Ｏリング１０８を注入孔１０６の周囲に密着させた状態にして、注入用ノズル１０９を通して外装容器１０１内を減圧した後、同注入用ノズル１０９から非水電解質を注入するようにしていた。
【０００４】
【発明が解決するための手段】
ところで、上記したような非水電解質二次電池の製造では、外装容器１０１に非水電解質を注入した後、電池蓋１０３におけるＯリング１０８の密着部分に非水電解質が付着することがある（図１０中符号Ａで示す）。しかしながら、従来の非水電解質二次電池にあっては、平坦な板材から成る電池蓋１０３を用いていたため、図１０中に矢印で示すように、付着した非水電解質が流れて正極端子１０５の取り付け部分や外装容器１０１の側部まで広がり、この非水電解質によって様々な不具合が発生する恐れがあった。
【０００５】
つまり、非水電解質が正極端子１０５の取り付け部分に達すると、ガスケット１０４と電池蓋１０３との隙間に非水電解質が浸入し、これにより電池蓋が腐食するなどの恐れがあり、また、非水電解質が外装容器１０１の側部に達すると、製造ラインを構成する装置類を汚損するなどの恐れがある。さらに、非水電解質が酸化力の強い成分を含んでいる場合には、組み立て完了後に洗浄を行っても、除去しきれなかった非水電解質が錆発生の原因になることがある。したがって、高品質の非水電解質二次電池を製造するうえで、電池蓋に付着した非水電解質が流れ広がるような事態を未然に防止することが重要である。
【０００６】
【発明の目的】
本発明は、上記従来の状況に鑑みて成されたもので、非水電解質の注入後において電池蓋に付着した非水電解質が流れ広がるのを未然に防止することができ、その後の非水電解質の除去を確実にし得る非水電解質型二次電池を提供することを目的としている。
【０００７】
【課題を解決するための手段】
本発明者は、上記目的を達成すべく鋭意検討した結果、電池蓋の電解質注入孔に対してその周囲に溝等の凹凸を設けることにより、上記目的が達成できることを見出し、本発明を完成させるに至った。
【０００８】
即ち、本発明の非水電解質二次電池は、正極及び負極と非水電解質とから成る発電要素を外装容器に収容し、この外装容器を電池蓋で密閉した構造を有する非水電解質二次電池であって、上記電池蓋には、非水電解質を注入するための注入孔が形成してある。そして、上記注入孔の周囲に、環状に連続する溝部等の凹凸を設けたことを特徴としている。
【０００９】
本発明の非水電解質二次電池では、製造過程において、発電要素を構成する正極及び負極等を外装容器に収容し、この外装容器に電池蓋を取り付けた後、電池蓋の注入孔から非水電解質の注入が行われる。この注入工程では、注入用ノズルが用いられ、注入用ノズルの先端部を注入孔の周囲に密着させた状態にして非水電解質を注入することとなり、注入後には、注入用ノズルの密着部分すなわち注入孔の周囲に非水電解質が付着することがある。
【００１０】
このような非水電解質の付着に対して、当該非水電解質二次電池では、注入孔の周囲に環状に連続する溝部が設けてあるので、付着した非水電解質が流れたとしても、その非水電解質を溝部に流入させることで溝部よりも外側への流出を阻止し、非水電解質が端子や電池側部に付着することにより生じる不具合を未然に防止する。また、付着した非水電解質の除去に関しては、溝部とその内側を集中的に洗浄すればよいことになる。
【００１１】
なお、溝部は、その断面形状や大きさがとくに限定されることはないが、付着した非水電解質を充分に溜めておくことができる大きさであれば良い。
【００１２】
【実施例】
以下、図面に基づいて、本発明の非水電解質二次電池の実施例を説明するが、本発明の非水電解質二次電池は、詳細な構成が各実施例のみに限定されるものではない。
【００１３】
図１は本発明の非水電解質二次電池の第１実施例を説明する図である。
図示の非水電解質二次電池は、上向きに開放した扁平角型の外装容器１に発電要素２を収容して、外装容器１の上端部を電池蓋３で密閉した構造になっている。発電要素２は、主に正極及び負極と非水電解質で構成される。
【００１４】
また、当該非水電解質二次電池は、リチウムイオン非水電解質二次電池であり、発電要素２が、リチウムイオンをドープ・脱ドープ可能な活物質層を有する正極及び負極を備えている。より詳しくは、発電要素２は、帯状の集電体に活物質層を設けた正極及び負極と、両極間に介装する帯状のセパレータとを積層し、これらを巻回して成る巻回電極体を備えている。
【００１５】
上記非水電解質二次電池において、電池蓋３は、金属製の板材であり、例えばプレス成形により所定形状に形成してある。電池蓋３は、中央に、ガスケット４を介して、発電要素２の正極に接続した正極端子（負極端子となる場合もある）５が設けてある。また、正極端子（負極端子となる場合もある）５の両側には、非水電解質を注入するための注入孔６と、所定値以上の内圧で開裂する安全弁としての開裂部７が設けてある。
【００１６】
上記電池蓋３において、注入孔６の周囲には、矩形環状に連続する溝部８が成形してある。この溝部８は、電池蓋３をプレス成形する際に同時成形することができる。また、当該非水電解質二次電池では、注入孔６の周囲の面と電池蓋３の本体部分の上面とがほぼ面一であり、正極端子（負極端子となる場合もある）５が僅かに突出した状態にある。
【００１７】
上記構成を備えた非水電解質二次電池は、製造過程において、発電要素２を構成する正極及び負極等を外装容器１に収容し、外装容器１に電池蓋３を気密的に取り付けた後、電池蓋３の注入孔６から非水電解質の注入が行われる。この注入工程では、先端にＯリング９を設けた注入用ノズル１０が用いられ、注入孔６と溝部８との間に注入用ノズル１０のＯリング９を密着させた後、注入用ノズル１０を介して外装容器１内を減圧し、その後、同注入用ノズル１０から非水電解質を注入する。
【００１８】
上述の非水電解質の注入後には、図中に符号Ａで示すように、注入用ノズル１０の密着部分すなわち注入孔６の周囲に非水電解質が付着することがある。これに対して、当該非水電解質二次電池では、注入孔６の周囲に環状に連続する溝部８が設けてあるので、付着した非水電解質が横へ流れたとしても、その非水電解質を溝部８に流入させることで溝部８よりも外側への流出を阻止する。
【００１９】
このようにして、当該非水電解質二次電池では、溝部８により非水電解質が流れ広がる恐れを解消して、非水電解質が正極端子（負極端子となる場合もある）５や電池側部に付着することにより生じる不具合を未然に防止することができる。また、付着した非水電解質の除去に関しては、溝部８とその内側を集中的に洗浄すればよいので、非水電解質を簡単に除去することができる。
【００２０】
なお、上記実施例の非水電解質二次電池は、扁平角型であって、電池蓋３が細長い形状であるが、注入孔６の周囲の面と電池蓋３の本体部分の上面とを同一面状にし、非水電解質の流れを溝部８により阻止する構成であることから、非水電解質を注入する際に、電池蓋３と注入ノズル１０の先端外周部分とが干渉するような心配が無く、電池蓋３への注入用ノズル１０の密着を良好に行うことができるという利点もある。
【００２１】
図２は本発明の非水電解質二次電池の第２実施例を説明する図である。なお、以下の各実施例において、先の実施例と同一の構成部位は、同一符号を付して詳細な説明を省略する。
【００２２】
図示の非水電解質二次電池において、電池蓋１３には、その縁部１３ａを枠状に残した状態にして大小の矩形の凹部１３ｂ，１３ｃが形成してある。両凹部１３ｂ，１３ｃの間は、縁部１３ａと連続する堤部１３ｄで仕切られている。
【００２３】
そして、電池蓋１３は、図中左側の大きい凹部１３ｂの底面に、ガスケット４を介装した正極端子（負極端子となる場合もある）５と開裂部７を設けると共に、図中右側の小さい凹部１３ｃの底面に、エンボス状の凸部１３ｅを形成し、この凸部１３ｅの頂部に注入孔６が形成してある。
【００２４】
ここで、当該非水電解質二次電池は、電池蓋１３の縁部１３ａ、堤部１３ｄ、凸部１３ｅ及び正極端子（負極端子となる場合もある）５の各上面がほぼ面一の状態にある。また、上記の如く凹部１３ｃの底面に凸部１３ｅ及び注入孔６を設けた構成は、注入孔６の周囲に環状に連続する突条部を設けた構成と実質的に同一であり、凹部１３ｃを形成する縁部１３ａの一部とこれに連続する堤部１３ｄが突条部に相当する。
【００２５】
上記の非水電解質二次電池は、凸部１３ｅの上面に注入用ノズル（図１参照）を密着させて非水電解質の注入が行われ、その後、注入孔６の周囲に付着した非水電解質が横に流れたとしても、その非水電解質を凸部１３ｅから凹部１３ｃに流入させ、それ以上の広がりを縁部１３ａ及び堤部１３ｄにより阻止する。
【００２６】
図３は本発明の非水電解質二次電池の第３実施例を説明する図である。
図示の非水電解質二次電池において、電池蓋２３には、中央に凹部２３ａが形成してあると共に、この凹部２３ａの底面にガスケット４を介して正極端子（負極端子となる場合もある）９５が設けてある。また、注入孔６の周囲には、矩形環状に連続する溝部８が形成してある。当該非水電解質二次電池では、電池蓋２３の本体部分、注入孔６の周囲及び正極端子（負極端子となる場合もある）５の各上面がほぼ面一の状態にある。そして、この非水電解質二次電池にあっても、第１実施例と同様に、電池蓋２３に付着した非水電解質が流れ広がるのを溝部８により阻止することができる。
【００２７】
図４は本発明の非水電解質二次電池の第４実施例を説明する図である。
図示の非水電解質二次電池において、電池蓋３３には、矩形の凹部３３ａが形成してあり、この凹部３３ａの底面に注入孔６が形成してある。当該非水電解質二次電池では、正極端子（負極端子となる場合もある）５が僅かに突出した状態にある。そして、当該非水電解質二次電池は、凹部３３ａの底面に注入用ノズル（図１参照）を密着させて非水電解質の注入が行われ、その後、注入孔６の周囲に付着した非水電解質が横に流れたとしても、凹部３３ａの周囲を形成する段差部分によって非水電解質が流れ広がるのを阻止する。
【００２８】
図５は本発明の非水電解質二次電池の第５実施例を説明する図である。
図示の非水電解質二次電池において、電池蓋４３には、注入孔６の周囲に、矩形環状に連続する突条部１８が形成してある。当該非水電解質二次電池では突条部１８の上面と正極端子（負極端子となる場合もある）５の上面とがほぼ面一の状態にある。そして、当該非水電解質二次電池は、注入孔６と突条部１８との間に注入用ノズル（図１参照）を密着させて非水電解質の注入が行われ、その後、注入孔６の周囲に付着した非水電解質が横に流れたとしても、突条部１８によって非水電解質が流れ広がるのを阻止する。
【００２９】
次に、図６〜図９は本発明の非水電解質二次電池の第６〜第９実施例を説明する図である。これらの実施例は、例えば当該非水電解質二次電池を落とした際に開裂部に損傷を与えないように、開裂部の構成に工夫を凝らしたものであり、具体的には、開裂部が、その周囲における電池蓋又は外装容器の最外面よりも低い位置に設けてある。そして、これらの実施例は、図１〜図５に示した第１〜第５の実施例の構成と組合わせることができる。
【００３０】
図６に示す非水電解質二次電池の電池蓋５３は、凹部５３ａが形成してあると共に、この凹部５３ａの中央に開裂部１７が設けてある。開裂部１７は、電池内部となる下面に円形環状の溝を形成することで、円形環状の薄肉部１７ａを設けたものになっている。この開裂部１７は、電池蓋５３の材質や予め設定された二次電池の内圧値などに基づいて、薄肉部１７ａの肉厚が決定してあり、内圧が規定値以上になると、薄肉部１７ａの部分で破断を生じて開放状態となり、内圧を解放する。
【００３１】
上記の非水電解質二次電池では、凹部５３ａに開裂部１７を設けることで、開裂部１７が電池蓋５３の最外面よりも低い位置となっているので、例えば当該非水電解質二次電池を落とした際に、開裂部１７に異物が直接衝突する確率が低くなり、また、凹部５３ａの段差部分がリブの効果をもたらすので、薄肉部１７ａへの衝撃を低減することができる。
【００３２】
なお、上記開裂部１７と電池蓋５３の最外面との段差寸法Ｄは、０．１５ｍｍ以上とするのが望ましい。これは、段差寸法Ｄを０．１５ｍｍよりも小さくすると、同一面にした場合と実質的に同等となり、とくに段差部分によるリブの効果が低減するからである。
【００３３】
図７に示す非水電解質二次電池の電池蓋６３は、凹部６３ａが形成してあると共に、この凹部６３ａの中央に貫通孔６３ｂが形成してあり、開裂部として、電池内部から貫通孔６３ｂを閉塞する金属箔２７が設けてある。この実施例においても、図６に示す実施例と同様の効果を得ることができる。
【００３４】
図８に示す非水電解質二次電池では、外装容器１の底部に凹部１ａを形成し、この凹部１ａの中央に、図６に示す実施例と同様の薄肉部３７ａを有する開裂部３７が設けてある。この実施例においても、先の各実施例と同様の効果を得ることができる。
【００３５】
図９に示す非水電解質二次電池の電池蓋７３は、凹部７３ａが形成してあると共に、この凹部７３ａの中央に開裂部４７が設けてある。この開裂部４７は、凹部７３ａの底壁中央をその厚さ分上方にずらせるように成形してあり、これにより周囲に薄肉部４７ａを有するものとなっている。この実施例においても、先の各実施例と同様の効果を得ることができる。
【００３６】
なお、上記各実施例において、とくに第１〜第５の実施例にあっては、注入孔の周囲に付着した非水電解質の流れを阻止する構成として、溝部、突条部又は凹部をそれぞれ設けた場合を例示したが、これらの凹凸形状は要求される電池蓋の構造に対応して適宜選択することが可能であり、例えば、凹凸を組合わせた構成にすることもできる。一例を挙げると、図１に示す構成では矩形環状に連続する溝部を例示したが、図１中で矩形環状の上下辺に相当する部分を溝部とし、左右の辺に相当する部分を突条部にすることも可能である。
【００３７】
本発明の非水電解質二次電池は、その詳細な構成が上記した形態のみに限定されることはなく、例えば、以下に述べるように、発電要素２における各部材の形状や材料を適宜選択することができる。
【００３８】
正極及び負極の集電体の材料としては、集電機能を有する限りとくに限定されることはないが、代表的には、負極の集電体には銅箔を用い、正極の集電体にはアルミニウム箔を用いることができる。
【００３９】
正極の活物質層の材料としては、例えば、アルカリ金属を含有する遷移金属とのカルコゲン化合物や、アルカリ金属と遷移金属との酸化物を用いることができる。この際、化合物の結晶構造としては、層状のものやスピネル型のものが主に用いられる。また、層状化合物には、次の一般式
ＡｘＭｙＯ２
（式中のＡは、Ｌｉ、Ｎａ及びＫから成る群より選ばれた少なくとも１種の元素を示し、ｘは０．５≦ｘ≦１．１を満足し、ｙは０．５≦ｙ≦１を満足し、Ｍは、鉄（Ｆｅ）、コバルト（Ｃｏ）、ニッケル（Ｎｉ）、マンガン（Ｍｎ）、銅（Ｃｕ）、亜鉛（Ｚｎ）、クロム（Ｃｒ）、バナジウム（Ｖ）、チタン（Ｔｉ）、アルミニウム（Ａｌ）、スズ（Ｓｎ）、ホウ素（Ｂ）、ガリウム（Ｇａ）、マグネシうう（Ｍｇ）、カルシウム（Ｃａ）及びストロンチウム（Ｓｒ）から成る群より選ばれた少なくとも１種の元素を示す）で表される化合物を用いることができる。なお、ＡｘＭｙＰＯ４　（式中のＡは、Ｌｉ、Ｎａ及びＫから成る群より選ばれた少なくとも１種の元素を示し、ｘは０．５≦ｘ≦１．１を満足し、ｙは０．５≦ｙ≦２を満足し、Ｍは、遷移金属より選ばれた少なくとも１種以上の金属）で表される化合物を用いることもできる。
【００４０】
負極の活物質層の材料としては、リチウムを吸蔵・離脱可能な負極材料として、例えば、リチウムと合金又は化合物を形成可能な金属及び半導体や、これらの合金又は化合物を用いることができる。
【００４１】
これらの金属、合金又は化合物は、例えば化学式
ＤｓＥｔＬｉｕ
（式中のＤは、リチウムと合金又は化合物を形成可能な金属元素及び／又は半導体元素、Ｅは、Ｄ以外の金属元素及び／又は半導体元素を示し、ｓ、ｔ及びｕは、それぞれｓ＞０、ｔ≧０、ｕ≧０を満足する）で表される。
【００４２】
リチウムと合金又は化合物を形成可能な金属元素及び半導体元素には、４Ｂ族の金属元素及び半導体元素が好ましく、より好ましくはケイ素やスズであり、最も好ましくはケイ素である。また、これらの合金又は化合物も好ましく、具体的には、ＳｉＢ４、ＳｉＢ６、Ｍｇ２Ｓｉ、Ｍｇ２Ｓｎ、Ｎｉ２Ｓｉ、ＴｉＳｉ２、ＭｏＳｉ２、ＣｏＳｉ２、ＮｉＳｉ２、ＣａＳｉ２、ＣｒＳｉ２、Ｃｕ５Ｓｉ、ＦｅＳｉ２、ＭｎＳｉ２、ＮｂＳｉ２、ＴａＳｉ２、ＶＳｉ２、ＷＳｉ２及びＺｎＳｉ２などが挙げられる。
【００４３】
さらに、リチウムを吸蔵・離脱可能な負極材料としては、炭素材料、金属酸化物及び高分子材料などがある。
【００４４】
炭素材料としては、例えば、難黒鉛化性炭素、人造黒鉛、コークス類、グラファイト類、ガラス状炭素類、有機高分子化合物焼成体、炭素繊維、活性炭及びカーボンブラック類などが挙げられる。これらのうち、コークス類には、ピッチコークス、ニードルコークス及び石油コークスなどがある。有機高分子化合物焼成体は、フェノール類やフラン類などの高分子材料を適当な温度で焼成して炭素化したものである。金属酸化物としては、酸化鉄、酸化ルテニウム、酸化モリブデン及び酸化スズなどが挙げられる。高分子材料としては、ポリアセチレンやポリピロールなどが挙げられる。
【００４５】
正極と負極との間に介装するセパレータの材料としては、正極と負極とを分離する機能を有すれば充分であるが、具体的には、微多孔性のポリエチレンやポリプロピレン製のフィルムを用いることが好ましく、とくに微多孔性フィルムは高温で軟化して微孔を閉塞し、リチウムイオンの流出を抑制するので、過電流対策としても好適に使用できる。
【００４６】
非水電解質としては、非水溶媒、固体電解質、高分子電解質、高分子化合物に電解質を混合・溶解させた固体状又はゲル状の電解質等が用いられる。
【００４７】
そして、本発明の非水電解質型二次電池は、一例として、次に述べる要領で作製する。帯状の集電体の両面に、リチウム金属、リチウム合金又はリチウムイオンをドープし且つ脱ドープし得る活物質としての黒鉛と、結着材としてのポリフッ化ビニリデンとを含む混合物に、分散剤としてのＮメチルピロリドンを加えて分散させたペースト状の負極合剤を塗布して乾燥させ、これを加圧成形して負極を作製する。
【００４８】
また、帯状の集電体の両面に、リチウムを含む化合物としてＬｉｘＭＯ２（式中のｘは０．５≦ｘ≦１．１０を満足し、Ｍは、遷移金属から選ばれた少なくとも１種以上の金属）で表される活物質材料と、導電材としてのグラファイトと、結着剤としてのポリフッ化ビニリデンとを含む混合物に、分散剤としてのＮメチルピロリドンを加えて分散させたペースト状の正極合剤を塗布して乾燥させ、これを加圧成形して正極を作製する。
【００４９】
上記の帯状の負極と同じく帯状の正極とをセパレータを介して積層し、これらを多数渦巻状に巻回して巻回電極体を作製する。その後、巻回電極体を電池容器に収容し、負極と正極の集電体から導出させたリード体を外装ケースの負極端子部と正極端子部に夫々接合する。そして、注入孔より非水電解質を注入し、この後、注入孔を密封して非水電解質型二次電池が完成する。
【００５０】
【発明の効果】
以上説明したように、本発明の非水電解質二次電池によれば、電池蓋の電解質注入孔に対してその周囲に溝部や突条部等の凹凸を設けたことにより、非水電解質の注入後に注入孔の周囲に非水電解質が付着した場合に、その非水電解質が流れ広がるのを阻止して、非水電解質が端子や電池側部に付着することにより生じる不具合を未然に防止することができ、また、付着した非水電解質の洗浄除去を簡単に行うことができる。これにより、非水電解質二次電池の品質向上や製造歩留まりの向上をも実現することができる。
【００５１】
さらに、本発明の非水電解質二次電池によれば、電池蓋又は外装容器の最外面よりも低い位置に開裂部を設けたことにより、例えば当該二次電池を落とした場合等において、開裂部の損傷を防止することができ、構造上の信頼性をより高めることができる。
【図面の簡単な説明】
【図１】本発明の非水電解質二次電池の第１実施例を説明する電池蓋の平面図（ａ）及び電池上側部分の断面図（ｂ）である。
【図２】本発明の非水電解質二次電池の第２実施例を説明する電池蓋の平面図（ａ）及び電池上側部分の断面図（ｂ）である。
【図３】本発明の非水電解質二次電池の第３実施例を説明する電池蓋の平面図（ａ）及び電池上側部分の断面図（ｂ）である。
【図４】本発明の非水電解質二次電池の第４実施例を説明する電池蓋の平面図（ａ）及び電池上側部分の断面図（ｂ）である。
【図５】本発明の非水電解質二次電池の第５実施例を説明する電池蓋の平面図（ａ）及び電池上側部分の断面図（ｂ）である。
【図６】本発明の非水電解質二次電池の第６実施例を説明する電池蓋の断面図（ａ）及び平面図（ｂ）である。
【図７】本発明の非水電解質二次電池の第７実施例を説明する電池蓋の断面図（ａ）及び平面図（ｂ）である。
【図８】本発明の非水電解質二次電池の第８実施例を説明する電池蓋の断面図である。
【図９】本発明の非水電解質二次電池の第９実施例を説明する電池蓋の断面図である。
【図１０】従来の非水電解質二次電池を説明する電池上側部分の断面図である。
【符号の説明】
１　　外装容器
２　　発電要素
３　　電池蓋
６　　注入孔
７　　開裂部
８　　溝部
１３　２３　３３　　電池蓋
１３ａ　　縁部（突条部）
１３ｄ　　堤部（突条部）
１８　　突条部
１３ｃ　３３ａ　　凹部
１７　３７　４７　　開裂部
２７　　金属箔（開裂部）
４３　５３　６３　７３　　電池蓋
【図１】
2004095268.tif 000003
【図２】
2004095268.tif 000004
【図３】
2004095268.tif 000005
【図４】
2004095268.tif 000006
【図５】
2004095268.tif 000007
【図６】
2004095268.tif 000008
【図７】
2004095268.tif 000009
【図８】
2004095268.tif 000010
【図９】
2004095268.tif 000011
【図１０】
2004095268.tif 000012